(57)【要約】【課題】収納庫から搬出する紙幣のスキューを抑制する。【解決手段】第１搬送ガイド２１ａ側にパンタグラフ２２で押圧された紙幣ＢＮを、キックローラ２３によってフィードローラ２４と阻止ローラ２５との接触部３０に繰り出し、その接触部３０で１枚の紙幣ＢＮを分離して搬出する収納庫８において、その繰り出された紙幣ＢＮが接触部３０に進入する直前の位置に、テーパブロック２６を配置する。このテーパブロック２６により、たとえキックローラ２３で繰り出す紙幣ＢＮに第１搬送ガイド２１ａ側への膨らみが発生していた場合にも、その紙幣ＢＮの第１搬送ガイド２１ａに対する高さが調整され、その状態で接触部３０へと導くことができる。それにより、収納庫８から搬出する紙幣ＢＮのスキューの発生が抑制されるようになる。【選択図】図２
2009211572.tif 000002
【特許請求の範囲】
【請求項１】
紙幣の入金及び出金を行う紙幣処理装置において、
紙幣が収納される収納部と、
前記収納部に収納された紙幣をガイドするガイド部材と、
前記収納部に収納された紙幣を前記ガイド部材側に押圧する押圧手段と、
前記ガイド部材から外周面を突出させて配置され、前記押圧手段によって押圧された紙幣を繰り出す一対の第１ローラと、
前記ガイド部材から外周面を突出させて配置され、前記第１ローラで繰り出される紙幣を搬送する一対の第２ローラと、
一対の前記第２ローラにそれぞれ周接して対向配置され、前記第２ローラで搬送される紙幣を１枚に分離する一対の第３ローラと、
前記ガイド部材に設けられ、前記第１ローラによって前記第２，第３ローラ側に繰り出される紙幣の前記ガイド部材に対する高さを調整する調整部材と、
を有することを特徴とする紙幣処理装置。
【請求項２】
前記調整部材は、前記ガイド部材の前記第２ローラで挟まれた領域であって、前記第１ローラによって繰り出された紙幣が、前記第２，第３ローラの接触部に進入する直前の位置に設けられていることを特徴とする請求項１記載の紙幣処理装置。
【請求項３】
前記調整部材の前記ガイド部材に対する高さは、前記第２，第３ローラの接触部までの高さであることを特徴とする請求項１記載の紙幣処理装置。
【請求項４】
前記調整部材は、前記第１ローラ側から前記第２，第３ローラ側に向かって次第に高くなるテーパ面を有することを特徴とする請求項１記載の紙幣処理装置。
【請求項５】
前記調整部材は、前記第２，第３ローラ側から前記第１ローラと反対の側に向かって次第に低くなるテーパ面を有することを特徴とする請求項１記載の紙幣処理装置。
【請求項６】
紙幣の入金及び出金を行う紙幣処理装置を備えた金銭処理機において、
紙幣が収納される収納部と、
前記収納部に収納された紙幣をガイドするガイド部材と、
前記収納部に収納された紙幣を前記ガイド部材側に押圧する押圧手段と、
前記ガイド部材から外周面を突出させて配置され、前記押圧手段によって押圧された紙幣を繰り出す一対の第１ローラと、
前記ガイド部材から外周面を突出させて配置され、前記第１ローラで繰り出される紙幣を搬送する一対の第２ローラと、
一対の前記第２ローラにそれぞれ周接して対向配置され、前記第２ローラで搬送される紙幣を１枚に分離する一対の第３ローラと、
前記ガイド部材に設けられ、前記第１ローラによって前記第２，第３ローラ側に繰り出される紙幣の前記ガイド部材に対する高さを調整する調整部材と、
を有する紙幣処理装置を備えたことを特徴とする金銭処理機。
【発明の詳細な説明】
【技術分野】
【０００１】
本発明は、紙幣処理装置及び金銭処理機に関し、特に、紙幣の入金及び出金を行う紙幣処理装置、及びそのような紙幣処理装置を備えた金銭処理機に関する。
【背景技術】
【０００２】
近年、ＰＯＳ（Point Of Sales）システム等の上位機種に接続されて、入金された紙幣及び硬貨を収納し、収納された紙幣及び硬貨を必要に応じて釣銭として出金する紙幣処理装置及び硬貨処理装置を備えた金銭処理機が導入されている。金銭処理機に用いられる紙幣処理装置は、例えば、次のような構成とされる。
【０００３】
図７は紙幣処理装置の概念図である。
紙幣処理装置１００は、紙幣が投入される入金口１０１、及び釣銭紙幣等を払い出す出金口１０２、及び入・出金紙幣が搬送される搬送路１０３を有している。搬送路１０３の途中には、投入された紙幣の真偽を鑑別する鑑別部１０４、及び紙幣の金種を判別する金種判別部１０５が設けられている。また、紙幣処理装置１００は、入金口１０１から投入された真札を収納する、所定金種ごとの収納庫１０６を有している。
【０００４】
このような紙幣処理装置１００において、入金口１０１に投入された紙幣は、搬送路１０３を搬送され、鑑別部１０４でその真偽が鑑別される。偽札は、出金口１０２に戻される。真札は、さらに搬送されて金種判別部１０５でその金種が判別され、その金種に応じた所定の収納庫１０６に収納される。また、釣銭の払い出しが必要になった場合には、所定金額の紙幣が収納庫１０６から搬出され、搬送路１０３を搬送されて出金口１０２から払い出される。
【０００５】
ここで、収納庫１０６について説明する。
図８は収納庫の一例の概略側面図、図９は収納庫の一例の概略平面図である。また、図１０及び図１１は紙幣搬出動作の説明図である。
【０００６】
収納庫１０６は、図８及び図９に示すように、紙幣ＢＮを集積して収納可能な収納部２００、紙幣ＢＮのガイド部材である第１，第２搬送ガイド２０１ａ，２０１ｂ、及び収納されている紙幣ＢＮを第１搬送ガイド２０１ａ側に押圧するパンタグラフ２０２を有している。第１，第２搬送ガイド２０１ａ，２０１ｂは、側板２０７ａ及び底板２０７ｂの内部に配置されている。第１搬送ガイド２０１ａには、紙幣ＢＮを搬送路１０３へ搬出する、それぞれ一対のキックローラ２０３及びフィードローラ２０４が設けられ、第２搬送ガイド２０１ｂには、フィードローラ２０４の対向位置に、それに接触するように一対の阻止ローラ２０５が配置されている。また、搬送路１０３には、紙幣を搬送する搬送ローラ２０６が配置されている。
【０００７】
収納庫１０６に収納されている紙幣ＢＮの搬送路１０３への搬出時には、図１０に示すように、キックローラ２０３が回転し、パンタグラフ２０２によってキックローラ２０３に押圧されている紙幣ＢＮがフィードローラ２０４側に繰り出される。収納部２００に複数枚の紙幣ＢＮが集積収納されているときには、通常、図１０に示したように、一部の複数枚の紙幣ＢＮがそれらの間に生じる摩擦等により、束になって一緒に繰り出されるようになる。このように束になって繰り出された複数枚の紙幣ＢＮは、図１１に示すように、回転するフィードローラ２０４と停止した阻止ローラ２０５との間を通過するときに最前面紙幣ＢＮａが１枚に分離され、搬送路１０３へと搬出され、搬送ローラ２０６によって搬送される。
【０００８】
ところで、このように収納されている紙幣の繰り出し及び分離を行う際には、紙幣が傾斜（スキュー）した状態で搬出される場合がある。これまで、このようなスキューの防止を目的として、球形の繰り出しローラを用いて繰り出す紙幣のスキューを修正する構成や、繰り出す紙幣の後端側にその紙幣に当接可能なローラを設けてスキューを防止する構成等、いくつかの提案がなされている（特許文献１，２参照。）。
【特許文献１】特開平１０−２５０８７７号公報
【特許文献２】特開２００６−２１８６０号公報
【発明の開示】
【発明が解決しようとする課題】
【０００９】
例えば、上記のような構成を有する収納庫１０６の場合には、特に収納部２００に複数枚の紙幣ＢＮが集積収納されているときに、次のようにしてスキューが発生し得る。
図１２及び図１３は紙幣収納状態の説明図、図１４は紙幣に発生するスキューの説明図である。
【００１０】
図１２に示すように、収納部２００には、複数枚の紙幣ＢＮが集積収納可能である。集積収納されている複数枚の紙幣ＢＮは、パンタグラフ２０２によって第１搬送ガイド２０１ａ側に押圧される。このとき、その紙幣ＢＮは、第１搬送ガイド２０１ａから突出する一対のキックローラ２０３に押し付けられるため、図１２及び図１３に示したように、キックローラ２０３間には第１搬送ガイド２０１ａ側へ盛り上がる膨らみ３００が発生する場合がある。この膨らみ３００は、集積枚数が多くなるほど大きくなる傾向がある。紙幣ＢＮは、このような膨らみ３００が発生している状態でキックローラ２０３によって束になって繰り出され、フィードローラ２０４と阻止ローラ２０５との接触部の方に送られていく。
【００１１】
しかし、繰り出される紙幣ＢＮの束にこのような膨らみ３００が発生していると、フィードローラ２０４と阻止ローラ２０５との接触部に進入する前に、フィードローラ２０４や阻止ローラ２０５との衝突が起こりやすく、また紙幣ＢＮ間に生じる摩擦により、接触部に進入する最前面紙幣ＢＮａの負荷バランスが崩れ、スキューが発生する場合がある。負荷バランスの崩れた状態でフィードローラ２０４と阻止ローラ２０５との接触部に進入した最前面紙幣ＢＮａは、図１４に示すように、スキューが発生した状態で搬送路１０３に搬出されていってしまうことになる。
【００１２】
搬送路１０３は、通常、搬送する紙幣ＢＮの幅に対して一定の余裕を持たせただけの通路幅で構成されているため、スキューが発生した場合には、紙幣ＢＮが装置内で詰まってしまう等の問題を引き起こすおそれがある。
【００１３】
本発明は、このような点に鑑みてなされたものであり、紙幣のスキューの発生を抑制することのできる紙幣処理装置を提供することを目的とする。また、そのような紙幣処理装置を備えた金銭処理機を提供することを目的とする。
【課題を解決するための手段】
【００１４】
本発明では、上記課題を解決するために、紙幣が収納される収納部と、前記収納部に収納された紙幣をガイドするガイド部材と、前記収納部に収納された紙幣を前記ガイド部材側に押圧する押圧手段と、前記ガイド部材から外周面を突出させて配置され、前記押圧手段によって押圧された紙幣を繰り出す一対の第１ローラと、前記ガイド部材から外周面を突出させて配置され、前記第１ローラで繰り出される紙幣を搬送する一対の第２ローラと、一対の前記第２ローラにそれぞれ周接して対向配置され、前記第２ローラで搬送される紙幣を１枚に分離する一対の第３ローラと、前記ガイド部材に設けられ、前記第１ローラによって前記第２，第３ローラ側に繰り出される紙幣の前記ガイド部材に対する高さを調整する調整部材と、を有することを特徴とする紙幣処理装置が提供される。また、このような紙幣処理装置を備えた金銭処理機が提供される。
【００１５】
このような紙幣処理装置によれば、押圧手段が、収納部の紙幣をガイド部材側に押圧し、ガイド部材に設けた一対の第１ローラが、押圧された紙幣を周接する各一対の第２，第３ローラ側に繰り出し、調整部材が、第１ローラで繰り出される紙幣のガイド部材に対する高さを調整する。押圧手段による押圧で、たとえ第１ローラで繰り出される紙幣にガイド部材側への膨らみ等の変形が発生していた場合であっても、その紙幣のガイド部材に対する高さが調整部材によって調整されるため、第１ローラで繰り出された紙幣が円滑に第２，第３ローラの接触部へと導かれるようになる。
【発明の効果】
【００１６】
本発明では、繰り出す紙幣の高さを調整する調整部材を設けるようにした。これにより、紙幣搬送時のスキューの発生を抑制し、紙幣詰まりの発生を抑えることが可能になる。その結果、高性能・高信頼性の紙幣処理装置、及びそのような紙幣処理装置を備えた金銭処理機を実現することが可能になる。
【発明を実施するための最良の形態】
【００１７】
以下、本発明の実施の形態を、図面を参照して詳細に説明する。
まず、紙幣処理装置の概略について説明する。
図１は紙幣処理装置の概略構成図である。
【００１８】
紙幣処理装置１は、紙幣が投入される入金口２、及び釣銭紙幣等を払い出す出金口３、及び入・出金紙幣が搬送される搬送路４を有している。この搬送路４の途中には、搬送路４内に進退する振り分けゲート５ａ、投入された紙幣の真偽を鑑別する鑑別部６、及び紙幣の金種を判別する金種判別部７が設けられている。さらに、搬送路４の途中には、搬送路４内に進退して搬送紙幣を所定の収納庫８に振り分ける振り分けゲート５ｂ，５ｃ，５ｄが設けられている。また、搬送路４を搬送される紙幣の通過、収納庫８からの紙幣の搬出や紙幣の収納を検知するため、要所に複数のセンサ９が設けられている。
【００１９】
この紙幣処理装置１には、収納庫８として、例えば、千円紙幣のみが収納される千円収納庫８ａ、千円紙幣以外の紙幣（二千円紙幣、五千円紙幣、一万円紙幣）が収納される混合収納庫８ｂ、及びその混合収納庫８ｂの五千円紙幣を釣銭として払い出せるように二千円紙幣と一万円紙幣を移送する或いは釣銭として払い出す千円紙幣や五千円紙幣の精査を行うための精査庫８ｃが設けられている。なお、このほか、混合収納庫８ｂの位置に、五千円紙幣のみが収納される五千円収納庫を配置し、精査庫８ｃの位置に、投入された二千円紙幣及び一万円紙幣を収納する混合収納庫を配置する構成とすることもできる。
【００２０】
また、紙幣処理装置１の入・出金口２，３側には、収納庫８に収納された紙幣が移送されて回収される回収庫１０が設けられている。
このような紙幣処理装置１において、入金口２に投入された紙幣は、搬送路４を搬送され、まず鑑別部６でその真偽が鑑別される。鑑別部６で真札と鑑別された紙幣は、さらに奥へと搬送され、また、偽札と鑑別された紙幣は、逆方向に搬送されて、振り分けゲート５ａが搬送路４内に進入することによって出金口３側に振り分けられ、出金口３へと戻される。真札と鑑別された紙幣は、続いて金種判別部７でその金種が判別される。
【００２１】
上記のように収納庫８として千円収納庫８ａ、混合収納庫８ｂ及び精査庫８ｃを配置した場合、金種判別部７で千円紙幣と判別された紙幣は、振り分けゲート５ｄが搬送路４内に進入することによって振り分けられ、千円収納庫８ａに収納される。判別結果が千円紙幣以外の紙幣である場合には、その紙幣は、さらに搬送路４を搬送されて、混合収納庫８ｂに収納される。混合収納庫８ｂに収納された紙幣のうち、釣銭として使用しない、例えば二千円紙幣及び一万円紙幣は、適当なタイミングで精査庫８ｃに移送される。この場合、混合収納庫８ｂから搬出された紙幣は、搬送路４を入金時と逆方向に搬送され、振り分けゲート５ｃが搬送路４内に進入することによって振り分けられて、精査庫８ｃに収納される。
【００２２】
釣銭の払い出しが必要になった場合には、所定金額の千円紙幣或いは五千円紙幣がそれぞれ千円収納庫８ａ又は混合収納庫８ｂから搬出され、搬送路４を入金時と逆方向に搬送される。そして、振り分けゲート５ａが搬送路４に進入することによって出金口３側に振り分けられ、出金口３から払い出される。
【００２３】
千円収納庫８ａ、混合収納庫８ｂ及び精査庫８ｃに収納されている紙幣は、必要に応じて回収庫１０に移送され、回収される。千円収納庫８ａ、混合収納庫８ｂ及び精査庫８ｃから搬出された紙幣は、搬送路４を入金時と逆方向に搬送され、振り分けゲート５ｂが搬送路４内に進入することによって回収庫１０側に振り分けられ、回収庫１０に移送される。なお、精査庫８ｃの紙幣は、例えば、搬送路４への搬出後に混合収納庫８ｂ側に搬送させて一旦停止させ、そこから回収庫１０側に搬送させたり、或いは一旦混合収納庫８ｂに移送した後に回収庫１０に移送したりすることができる。
【００２４】
なお、混合収納庫８ｂの位置に五千円収納庫を配置し、精査庫８ｃの位置に二千円紙幣及び一万円紙幣を収納する混合収納庫を配置した場合には、金種判別部７での判別結果に応じ、五千円紙幣はさらに搬送されて五千円収納庫に収納され、二千円紙幣及び一万円紙幣は入金時と逆方向に搬送されて混合収納庫に収納されることになる。釣銭の払い出し時には、千円紙幣及び五千円紙幣を収納している収納庫８からそれぞれ、所定金額分の紙幣が搬出され、出金口３から払い出される。
【００２５】
このような構成を有する紙幣処理装置１が、硬貨の入・出金処理を行う硬貨処理装置等と共に搭載されて、ＰＯＳ等の上位機種に接続される金銭処理機が構成される。
次に、上記構成を有する紙幣処理装置１の収納庫８について説明する。
【００２６】
図２は収納庫の概略側面図、図３は収納庫の概略平面図、図４は収納庫の要部斜視図である。
収納庫８は、図２及び図３に示すように、複数枚の紙幣ＢＮを集積して収納可能な収納部２０、及び紙幣のガイド部材である第１，第２搬送ガイド２１ａ，２１ｂを有している。第１，第２搬送ガイド２１ａ，２１ｂは、側板２９ａ及び底板２９ｂの内部に配置されている。第１搬送ガイド２１ａの対向位置で第２搬送ガイド２１ｂの下部には、収納部２０に収納されている紙幣ＢＮを第１搬送ガイド２１ａ側に押圧するパンタグラフ２２が配置されている。
【００２７】
第１搬送ガイド２１ａには、図２から図４に示すように、収納部２０に収納され、パンタグラフ２２によって押圧された紙幣ＢＮを、搬送路４側へ繰り出す一対のキックローラ２３が設けられている。これら一対のキックローラ２３は、軸２３ａに軸支されて回転可能に構成され、例えば、通常の繰り出し動作で紙幣ＢＮにスキューを発生させたり破損させたりしないような適切な一定の間隔で配置されるように設計される。
【００２８】
さらに、第１搬送ガイド２１ａには、キックローラ２３による紙幣ＢＮの繰り出し方向に、繰り出された紙幣ＢＮを搬送路４へ搬出する一対のフィードローラ２４が設けられている。また、第２搬送ガイド２１ｂには、その一対のフィードローラ２４の対向位置に、それぞれの外周面に接触するように一対の阻止ローラ２５が配置されている。フィードローラ２４及び阻止ローラ２５は、それぞれ軸２４ａ，２５ａに軸支され、紙幣ＢＮの搬出・収納に応じて所定方向に回転可能に構成されている。ただし、阻止ローラ２５は、紙幣ＢＮの搬出の際には停止状態とされる。
【００２９】
収納庫８では、キックローラ２３によって複数枚の紙幣ＢＮが束になって繰り出される場合があるが、そのような紙幣ＢＮの束のうちの１枚が、フィードローラ２４と阻止ローラ２５との接触部３０において分離され、搬送路４へ搬出されるようになっている。
【００３０】
また、この収納庫８の第１搬送ガイド２１ａには、図２から図４に示したように、フィードローラ２４で挟まれた領域であって、キックローラ２３によって繰り出された紙幣ＢＮがフィードローラ２４と阻止ローラ２５との接触部３０に進入する直前の位置に、テーパブロック２６が設けられている。テーパブロック２６は、キックローラ２３側からフィードローラ２４側に向かって次第に高くなるテーパ面２６ａと、フィードローラ２４側から搬送路４側に向かって次第に低くなるテーパ面２６ｂとを有するように形成されている。そして、このテーパブロック２６の突端の高さは、第１搬送ガイド２１ａからフィードローラ２４と阻止ローラ２５との接触部３０までの高さＨに合わせられている。
【００３１】
このような構成を有する収納庫８における紙幣搬出・収納動作について説明する。
まず、次の図５及び図６を参照して紙幣搬出動作について説明する。
図５は紙幣搬出時の収納庫の概略側面図、図６は紙幣搬出時の収納庫の概略平面図である。
【００３２】
収納庫８から搬送路４への紙幣ＢＮの搬出時には、紙幣ＢＮがパンタグラフ２２によって押圧されている状態で、まずキックローラ２３が図５中反時計回り方向（矢印方向）に回転し、押圧されている紙幣ＢＮがフィードローラ２４側に繰り出される。上記図２から図４に示したように収納部２０に複数枚の紙幣ＢＮが集積収納されているときには、この図５に示したように、通常はその複数枚の紙幣ＢＮのうちの一部がそれらの間に生じる摩擦等により束になって繰り出されていく。そして、このように束になって繰り出された複数枚の紙幣ＢＮが、図５中反時計回り方向（矢印方向）に回転させたフィードローラ２４と停止した阻止ローラ２５の方向に繰り出されていく。
【００３３】
このようにして繰り出されていく紙幣ＢＮの束には、第１搬送ガイド２１ａから突出する一対のキックローラ２３へのパンタグラフ２２による押圧により、特に集積枚数が多いときに、キックローラ２３間に第１搬送ガイド２１ａ側への膨らみが発生しやすい（図１２参照）。そのような膨らみが発生している状態で紙幣ＢＮがキックローラ２３でフィードローラ２４側に繰り出されていった場合でも、この収納庫８では、フィードローラ２４と阻止ローラ２５との接触部３０の直前に配置したテーパブロック２６により、そのような膨らみが紙幣ＢＮの搬出に及ぼす影響が低減される。
【００３４】
すなわち、膨らみの発生した紙幣ＢＮの束がキックローラ２３によって繰り出されたとしても、その膨らみの発生した部分は、テーパブロック２６のテーパ面２６ａに沿って繰り出されていくことになる。発生していた膨らみは、紙幣ＢＮのフィードローラ２４側への繰り出しに伴い、そのテーパ面２６ａにおいて矯正されていく。そして、図６に示したように、繰り出される紙幣ＢＮのうち、最前面紙幣ＢＮａの先端は、繰り出しに伴ってテーパ面２６ａを案内されていくことで、フィードローラ２４と阻止ローラ２５との接触部３０の直前においては、接触部３０の高さＨと同じ高さ（或いはほぼ同じ高さ）に調整されるようになる。
【００３５】
このような状態にすると、その直後に、最前面紙幣ＢＮａの先端を、一対ずつあるフィードローラ２４と阻止ローラ２５との２箇所の接触部３０に同じタイミングで進入させることが可能になる。膨らみが発生したまま紙幣ＢＮが接触部３０に進入していくと、フィードローラ２４や阻止ローラ２５との衝突のほか、紙幣ＢＮ間に生じる摩擦により、最前面紙幣ＢＮａの左右が異なるタイミングで２箇所の接触部３０に進入し、その負荷バランスが崩れ、スキューが発生するおそれがある。接触部３０への進入直前の位置にこのようにテーパブロック２６を設けることにより、紙幣ＢＮの束の膨らみに起因したスキューの発生を効果的に抑制することができるようになる。
【００３６】
最前面紙幣ＢＮａは、このようにして接触部３０で他の紙幣ＢＮから１枚だけに分離されて接触部３０を通過していき、例えば阻止ローラ２５の側部等に配置した図示しない振り分けゲートによって搬送路４の所定方向に搬出され、搬送路４に設けた搬送ローラ２７，２８等を用いて出金口３等に搬送される。
【００３７】
後続の紙幣ＢＮもこれと同様にして搬送路４に搬出することができる。また、キックローラ２３間に上記のような膨らみが発生していないような場合でも、その繰り出しがテーパブロック２６によって阻害されることはなく、紙幣ＢＮを円滑にフィードローラ２４側へ繰り出すことができる。
【００３８】
続いて、上記図２を参照して紙幣収納動作について説明する。
収納庫８への新たな紙幣の収納時には、まず、図示しないプッシャ機構により、既に収納されている紙幣ＢＮとパンタグラフ２２が第１搬送ガイド２１ａと離間する方向に押し戻され、収納部２０の紙幣ＢＮと第１搬送ガイド２１ａとの間に新たな紙幣を収納するためのスペースが確保される。
【００３９】
このような状態の収納庫８に対し、入金口２等から紙幣が搬送されてくる。搬送紙幣は、搬送路４に設けた搬送ローラ２７，２８及び図示しない振り分けゲートにより、接触部３０に進入する。その際、フィードローラ２４は、例えば図２中時計回り方向に回転され、阻止ローラ２５は、図２中反時計回り方向に回転される。それにより、搬送紙幣は、フィードローラ２４と阻止ローラ２５によって、予め収納部２０に確保されているスペースに取り込まれる。接触部３０の下にはテーパブロック２６が設けられているが、搬送路４側にテーパ面２６ｂを形成しているため、このテーパブロック２６によって収納部２０への紙幣の取り込みが阻害されることはなく、紙幣は搬送路４から円滑に収納部２０のスペースへと取り込まれる。
【００４０】
その後は、先に収納されていた紙幣ＢＮを押し戻していたプッシャ機構が退避し、再びパンタグラフ２２により、新たに収納された紙幣を追加した紙幣ＢＮが第１搬送ガイド２１ａ側に押圧される。
【００４１】
なお、繰り出す紙幣ＢＮの高さを調整する調整部材としては、上記のテーパブロック２６のような断面三角形状のもののほか、同様にキックローラ２３側とフィードローラ２４側にそれぞれテーパ面を有する断面台形状のもの等も用いることができる。また、このような調整部材として、接触部３０の手前からキックローラ２３付近まで延びる、より長いものを用いることも可能である。ただし、このように調整部材を長く構成する場合には、調整部材と繰り出される紙幣ＢＮとの間に生じる摺動摩擦が繰り出し動作に与える影響にも留意する。
【００４２】
以上説明したように、第１搬送ガイド２１ａの、キックローラ２３によって繰り出された紙幣ＢＮがフィードローラ２４と阻止ローラ２５との接触部３０に進入する直前の位置に、突端の高さを接触部３０までの高さＨに合わせたテーパブロック２６を設ける。これにより、キックローラ２３間に膨らみが発生しているような紙幣ＢＮを繰り出す場合にも、接触部３０への進入直前の最前面紙幣ＢＮａの先端をその高さＨに合わせることができ、そのような膨らみに起因したスキューの発生を効果的に抑制することができる。その結果、紙幣処理装置１における紙幣詰まりの発生を抑え、紙幣詰まりが発生していたならばそれを正常状態に復帰させるまでに要したであろう時間を省くことが可能になる。これにより、高性能で高信頼性の紙幣処理装置１、及びそのような紙幣処理装置１を備えた金銭処理機を得ることが可能になる。
【００４３】
なお、紙幣ＢＮを第１搬送ガイド２１ａ側に押圧する手段は、上記のようなパンタグラフ２２に限定されるものではなく、モータやばね等を利用した様々な押圧機構を用いることが可能である。
【００４４】
また、以上の説明では、キックローラ２３、フィードローラ２４及び阻止ローラ２５をそれぞれ一対ずつ設ける構成としたが、それらの数は一対ずつに限定されるものではない。繰り出す紙幣ＢＮが押圧されることによって所定キックローラ間に膨らみが発生するような場合には、適宜、上記テーパブロック２６のような調整部材を配置することが可能である。
【００４５】
また、上記テーパブロック２６のような調整部材は、第１搬送ガイド２１ａと別体で形成しておいて第１搬送ガイド２１ａに取り付ける構成のほか、予め第１搬送ガイド２１ａと一体で形成しておく構成としてもよい。
【図面の簡単な説明】
【００４６】
【図１】紙幣処理装置の概略構成図である。
【図２】収納庫の概略側面図である。
【図３】収納庫の概略平面図である。
【図４】収納庫の要部斜視図である。
【図５】紙幣搬出時の収納庫の概略側面図である。
【図６】紙幣搬出時の収納庫の概略平面図である。
【図７】紙幣処理装置の概念図である。
【図８】収納庫の一例の概略側面図である。
【図９】収納庫の一例の概略平面図である。
【図１０】紙幣搬出動作の説明図（その１）である。
【図１１】紙幣搬出動作の説明図（その２）である。
【図１２】紙幣収納状態の説明図（その１）である。
【図１３】紙幣収納状態の説明図（その２）である。
【図１４】紙幣に発生するスキューの説明図である。
【符号の説明】
【００４７】
１，１００  紙幣処理装置
２，１０１  入金口
３，１０２  出金口
４，１０３  搬送路
５ａ，５ｂ，５ｃ，５ｄ  振り分けゲート
６，１０４  鑑別部
７，１０５  金種判別部
８，１０６  収納庫
８ａ  千円収納庫
８ｂ  混合収納庫
８ｃ  精査庫
９  センサ
１０  回収庫
２０，２００  収納部
２１ａ，２０１ａ  第１搬送ガイド
２１ｂ，２０１ｂ  第２搬送ガイド
２２，２０２  パンタグラフ
２３，２０３  キックローラ
２３ａ，２４ａ，２５ａ  軸
２４，２０４  フィードローラ
２５，２０５  阻止ローラ
２６  テーパブロック
２６ａ，２６ｂ  テーパ面
２７，２８，２０６  搬送ローラ
２９ａ，２０７ａ  側板
２９ｂ，２０７ｂ  底板
３０  接触部
３００  膨らみ
ＢＮ，ＢＮａ  紙幣
Ｈ  高さ
【図１】
2009211572.tif 000003
【図２】
2009211572.tif 000004
【図３】
2009211572.tif 000005
【図４】
2009211572.tif 000006
【図５】
2009211572.tif 000007
【図６】
2009211572.tif 000008
【図７】
2009211572.tif 000009
【図８】
2009211572.tif 000010
【図９】
2009211572.tif 000011
【図１０】
2009211572.tif 000012
【図１１】
2009211572.tif 000013
【図１２】
2009211572.tif 000014
【図１３】
2009211572.tif 000015
【図１４】
2009211572.tif 000016